(57)【要約】【課題】ケーシング(11)の下流側開放端(19)にプラグ部(2)を接続して直線状のガス流路を有し、過流出防止弁(5)と、過流出防止弁(5)を初期状態に復帰させるリセット部(14)と、プラグ部(2)を開閉する弁装置(21)を具備するガス栓に関し、弁装置(21)、リセット部(14)、過流出防止弁(5)の点検や部品交換等を一方向のみから行えるようにする。【解決手段】弁装置(21)をプラグ部(2)内に収容し、リセット部(14)を弁装置(21)に連結し、過流出防止弁(5)をケーシング(11)内に位置決め状態に収容して、弁装置(21)、リセット部(14)、過流出防止弁(5)を直列させる。過流出防止弁(5)の下流側への位置決め状態は、プラグ部(2)をケーシング(11)から取り外せばその機能を無効にできる。下流側開放端(19)はリセット部(14)と過流出防止弁(5)が通過可能である。【選択図】図１
2014126094.tif 000002
【特許請求の範囲】
【請求項１】
ケーシングの上流側開放端にガス配管接続用の接続ネジ筒部が設けられ、下流側開放端にソケット接続用のプラグ部が接続され、前記ケーシングの前記上流側開放端からプラグ部の下流側開放端に至る直線状のガス流路が形成されているガス栓であって、
前記ガス流路に一定以上のガスが流れたとき前記ガス流路を自動的に遮断する過流出防止弁と、
作動後の前記過流出防止弁を初期状態に復帰させるリセット部と、
前記プラグ部の下流側開放端を開閉自在な弁装置が備えられているガス栓において、
下流側開放端から順に、弁装置、リセット部及び過流出防止弁が直列状態に収容され、
前記弁装置は前記プラグ部内に収容されていると共に、前記リセット部は前記弁装置に連動し、ソケット装着状態で過流出防止弁が作動しうる状態となるように設けられ、
前記過流出防止弁は、前記ケーシング内に位置決め状態に収容されていると共に、下流側への位置決め手段は、前記プラグ部が前記ケーシングから取り外されるとその機能を無効にすることができ、
前記ケーシングの下流側開放端は前記リセット部と前記過流出防止弁が通過可能な大きさに設定されているガス栓。
【請求項２】
請求項１に記載のガス栓において、前記過流出防止弁は、ケース体と、前記ケース体内に収容され且つガス流路を開閉する弁体と、前記ケース体から前記リセット部側へ突出する方向に付勢され且つ前記ケース体内に押込まれることにより閉弁状態にある前記弁体を開弁させるリセット体とを具備し、
前記リセット部に、前記リセット体を前記ケース体内へ押込む押込み手段が設けられ、
前記弁装置が前記プラグ部を閉塞する方向へ移動すると、前記リセット体は前記押込み手段によってケース体内へ押込まれ、
前記弁装置が前記プラグ部を開放する方向に移動すると、前記押込み手段による押込み状態が解除されて前記リセット体が初期の突出状態に復帰するように設定されているガス栓。
【請求項３】
請求項２に記載のガス栓において、前記リセット部の前記押込み手段と、前記過流出防止弁の前記リセット体とを一体的に構成したガス栓。
【発明の詳細な説明】
【技術分野】
【０００１】
この発明は、ガス栓、特に、過流出防止弁と、過流出防止弁をリセットするリセット機構を具備するガス栓に関する。
【背景技術】
【０００２】
過流出防止弁を内蔵するガス栓として、特許文献１に示すものがある。
このものは、図１４に示すように、ガス配管が接続する接続ネジ部(31a)を有するケーシング(31)の下流側端部（図面では上方開放端部）に、ソケット(4)を接続させるためのプラグ部(3)を螺合接続させた構成であり、ケーシング(31)内に、一定流量以上のガスが流れるとガス流路を遮断する弁体(32)を有する過流出防止弁(33)と、過流出防止弁(33)の作動後に閉弁状態にある弁体(32)を元の状態に復帰させるリセット部(30)が収容されている。
プラグ部(3)内には、プラグ部(3)の下流側開放端を開閉する弁装置(34)が収容されており、弁装置(34)の上流側にリセット部(30)が直列するように連結されていると共に、弁装置(34)、リセット部(30)及び過流出防止弁(33)が一直線上に並んで収容された構成となっている。
【０００３】
ケーシング(31)の上流側半分は過流出防止弁(33)が収容される小径筒部(310)となっており、下流側半分はプラグ部(3)の一部でもあるリセット部(30)が収容される大径筒部(311)となっている。
図１４の（Ａ）は、不使用状態にあるガス栓であり、プラグ部(3)の下流側開放端は、弁装置(34)により閉塞されている。
【０００４】
図１４の（Ｂ）は、プラグ部(3)に、配管(41)の端末に具備させたソケット(4)を接続させた状態にて、過流出防止弁(33)が作動した状態を示している。すなわち、ソケット(4)内の押込み軸(40)が弁装置(34)を押し込むことによりプラグ部(3)が開弁されているが、過流出防止弁(33)の弁体(32)が弁座(35)に圧接することにより、ケーシング(33)内のガス流路は遮断されている状態である。
【０００５】
そして、図１４の（Ｃ）は、（Ｂ）の状態からソケット(4)を取り外すことにより、一旦プラグ部(3)内を（Ａ）の状態にした後に、再度、ソケット(4)を接続させる途中の状態を示している。ソケット(4)を新たに接続させることにより、弁装置(34)が押込み軸(40)で押し込まれ、リセット部(30)内のピン(36)が、弁装置(34)と一体に移動するバネ(38)の先端で押されて上流側（図面では下方）へ移動させられる。それに伴い、過流出防止弁(33)の押込み部(37)の中心軸が同様に上流側へ押されることにより、弁体(32)の弁軸(32a)が上流側へ押され、弁体(32)の弁座(35)への圧着が解除される。すると、弁体(32)はバネ(39)の付勢力によって、弁受け部(44)側へ押圧されることとなり、過流出防止弁(33)は（Ａ）の初期状態にリセットされる。
【先行技術文献】
【特許文献】
【０００６】
【特許文献１】特開平１０−１６９８１２号公報
【発明の概要】
【発明が解決しようとする課題】
【０００７】
しかしながら、上記した従来のガス栓を、壁内又は床内に設置されているガス配管に継手を介して接続させる埋設式ガス栓として使用する場合、ガス栓が故障した際のガス栓内部の点検や修理等の作業が煩雑で大仰であるという問題がある。これは、プラグ部(3)のケーシング(31)への螺合を解除することにより、弁装置(34)とリセット部(30)は、ケーシング(31)の大径筒部(311)の開放端から屋内に取り出して点検や修理を行うことは可能であるが、過流出防止弁(33)は、弁座(35)や弁受け部(44)がケーシング(31)の小径筒部(310)内に下流側へ抜け止め状態に固定された状態に収容されているため、屋内へ取り出すことができないからであり、過流出防止弁(33)の点検や修理、部品交換等を行うためには、ケーシング(31)の上流側から取り出さなければならず、それには、壁内又は床内に位置する前記ガス配管の継手から一旦ケーシング(31)を取り外さなければならないからである。
【０００８】
本発明は、『ケーシングの上流側開放端にガス配管接続用の接続ネジ筒部が設けられ、下流側開放端にソケット接続用のプラグ部が接続され、前記ケーシングの前記上流側開放端からプラグ部の下流側開放端に至る直線状のガス流路が形成されているガス栓であって、
前記ガス流路に一定以上のガスが流れたとき前記ガス流路を自動的に遮断する過流出防止弁と、
作動後の前記過流出防止弁を初期状態に復帰させるリセット部と、
前記プラグ部の下流側開放端を開閉自在な弁装置が備えられているガス栓』において、弁装置、リセット部、及び過流出防止弁の点検や修理、又は、部品交換等の作業を一方向のみから容易に行えるようにすることを課題とする。
【課題を解決するための手段】
【０００９】
請求項１に係る発明のガス栓は、『下流側開放端から順に、弁装置、リセット部及び過流出防止弁が直列状態に収容され、
前記弁装置は前記プラグ部内に収容されていると共に、前記リセット部は前記弁装置に連動し、ソケット装着状態で過流出防止弁が作動しうる状態となるように設けられ、
前記過流出防止弁は、前記ケーシング内に位置決め状態に収容されていると共に、下流側への位置決め手段は、前記プラグ部が前記ケーシングから取り外されるとその機能を無効にすることができ、
前記ケーシングの下流側開放端は前記リセット部と前記過流出防止弁が通過可能な大きさに設定されている』ことを特徴とする。
【００１０】
上記技術的手段は次のように作用する。
過流出防止弁をケーシング内に下流側開放端又は上流側開放端から収容すると、前記過流出防止弁は前記ケーシング内の所定位置に位置決め状態に固定される。
過流出防止弁の下流側に、リセット部及び、弁装置を収容させたプラグ部を順にケーシングの下流側開放端から挿入し、プラグ部をケーシングに接続させる。これにより、ガス栓内には、過流出防止弁、リセット、弁装置部が、ケーシングの上流側開放端から順に一直線上に直列状態に配設される。
ガス栓の点検や修理時には、プラグ部をケーシングから取り外すと、プラグ部内に収容されている弁装置と、それに続くリセット部を、前記ケーシングの下流側開放端から取り出すことができる。また、過流出防止弁に対する下流側への位置決め手段は、プラグ部を取り外せば、その機能を無効にできるように設定されていることから、プラグ部を外した後には、過流出防止弁もケーシングの下流側へ移動可能となり、ケーシングの下流側開放端から外部に取り出すことができる。
【００１１】
請求項２の発明のものは、上記請求項１の発明のガス栓において、『前記過流出防止弁は、ケース体と、前記ケース体内に収容され且つガス流路を開閉する弁体と、前記ケース体から前記リセット部側へ突出する方向に付勢され且つ前記ケース体内に押込まれることにより閉弁状態にある前記弁体を開弁させるリセット体とを具備し、
前記リセット部に、前記リセット体を前記ケース体内へ押込む押込み手段が設けられ、
前記弁装置が前記プラグ部を閉塞する方向へ移動すると、前記リセット体は前記押込み手段によってケース体内へ押込まれ、
前記弁装置が前記プラグ部を開放する方向に移動すると、前記押込み手段による押込み状態が解除されて前記リセット体が初期の突出状態に復帰するように設定されている』ことを特徴とするものである。
このものでは、プラグ部にソケットを接続させた使用状態において、過流出防止弁が作動し、ケース体内の弁体が閉弁状態となると、安全面から一旦ソケットがプラグ部から外される。これにより、弁装置はプラグ部の下流側開放端を閉塞する方向に移動する。これと同時に、リセット部の押込み手段によって前記ケース体から突出しているリセット体がケース体内に押込まれ、これにより、ケース体内の弁体は開弁状態に復帰させられ、過流出防止弁はリセットされる。
そして、下流側の異常の修復された後、プラグ部にソケットを接続させると、弁装置はプラグ部を開放する方向（上流側）へ移動することにより、押込み手段によるリセット体の押込み状態は解除されるから、リセット体は、ケース体から突出する初期位置へ復帰することとなる。
【００１２】
請求項３に係る発明のガス栓は、上記請求項２の発明のガス栓において、『前記リセット部の前記押込み手段と、前記過流出防止弁の前記リセット体とを一体的に構成した』もので、押込み手段によってリセット体の押込み状態及び突出状態を確実に行える。また、プラグ部をケーシングから取り外すと、プラグ部内の弁装置に続いてリセット部が引き出されると共に、リセット部に続いて過流出防止弁も自動的に引き出すことが可能となる。
【発明の効果】
【００１３】
以上のように、本発明に係るガス栓によれば、壁内又は床内に設置後であっても、屋内に向かって突出しているプラグ部をケーシングから取り外すと、プラグ部内の弁装置はもちろん、それに続く、リセット部、さらには、過流出防止弁もケーシングの下流側開放端から屋内側に取り出すことができる。これにより、壁内又は床内に設置されているガス栓であっても、ガス配管からケーシングを取り外すことなく、ガス栓内のプラグ部やリセット部、さらには、過流出防止弁の点検や修理、又は部品の交換等を容易に実施することができるから、作業を簡略化でき、作業効率も向上する。
また、弁装置、リセット部、及び過流出防止弁はケーシングの一方向から取り出し可能であるから、組み付けも一方向から可能である。よって、これら部品の組み付け作業も容易であり、機械化にも対応可能となる。
また、弁装置はプラグ部内に収容された状態で取り出されるから、ケーシングから取り出す際に、弁装置の弁体部分を直接指や工具で掴むことがない。よって、弁体部分の変形や損傷を防止でき、不用意なガス漏れを防止することができる。
請求項２の発明では、ソケットを外し、弁装置を閉弁させたときに過流出防止弁のリセットが行われる。先行文献１に示されるようなリセット機構は、ソケットの再接続時に、作動した過流出防止弁の弁体を初期位置に復帰させる構造であるから、ソケットを装着するまでは前記弁体が弁座に圧接された状態となる。そのため、過流出防止弁が作動した際にソケットを外し、その後ソケットを長期間接続しない場合には、弁体が弁座に食いついて、初期状態に復帰しないことがある。請求項２の発明では上記のような過流出防止弁の弁体の食いつきによるリセット不良の問題が発生しない。
【図面の簡単な説明】
【００１４】
【図１】本発明の第１番目の実施の形態のガス栓の使用前の状態を示す断面図である。
【図２】本発明の第１番目の実施の形態のガス栓の過流出防止弁がリセットされた状態を示す断面図である。
【図３】本発明の実施の形態のガス栓に使用される過流出防止弁の説明図であり、（Ａ）は通常時を、（Ｂ）は閉弁時を、（Ｃ）はリセット時の様子を示している。
【図４】本発明の第２番目の実施の形態のガス栓の通常の使用状態を示す断面図である。
【図５】本発明の第２番目の実施の形態のガス栓の過流出防止弁がリセットされた状態を示す断面図である。
【図６】本発明の第２番目の実施の形態のガス栓から、プラグ部、リセット部及び過流出防止弁が取り出される様子を示す断面図である。
【図７】本発明の第３番目の実施の形態のガス栓の通常の使用状態を示す断面図である。
【図８】本発明の第３番目の実施の形態のガス栓の過流出防止弁がリセットされた状態を示す断面図である。
【図９】本発明の第４番目の実施の形態のガス栓の通常の使用状態を示す断面図である。
【図１０】本発明の第４番目の実施の形態のガス栓の過流出防止弁がリセットされた状態を示す断面図である。
【図１１】本発明の第５番目の実施の形態のガス栓の通常の使用状態を示す断面図である。
【図１２】本発明の第５番目の実施の形態のガス栓の過流出防止弁がリセットされた状態を示す断面図である。
【図１３】本発明の第５番目の実施の形態のガス栓に採用する固定部材の斜視図である。
【図１４】従来のガス栓の説明図であり、（Ａ）は不使用時を、（Ｂ）は使用時に過流出防止弁が作動した状態を、（Ｃ）はリセット時の様子を示している。
【発明を実施するための形態】
【００１５】
以下に、本発明を実施するための最良の形態について添付図面を参照しながら説明する。
図１及び図２は、この発明の第１番目の実施の形態に係るガス栓の断面図であり、図１はガス栓の不使用状態を、図２は過流出防止弁のリセット時の様子を示している。
【００１６】
本発明の第１番目の実施の形態に係るガス栓(1)は、従来のものと同様に、ケーシング(11)の下流側開放端に、プラグ部(2)を螺合接続させたものである。
ケーシング(11)は、上流側（図面では下側）から、ガス配管の継手（図示せず）が螺合接続される接続ネジ筒部(11a)、過流出防止弁(5)が密に収容される小径筒部(11b)、小径筒部(11b)よりも大径で且つリセット部(10)とプラグ部(2)の一部が収容される大径筒部(11c)が一直線上に設けられた構成となっており、大径筒部(11c)の下流側開放端(19)に形成されている雌ネジ部に、プラグ部(2)の中間位置に形成されている雄ネジ部が螺合接続されている。
小径筒部(11b)の下流端には、当接部材(12)がケーシングの下流側からねじ込まれて取り付けられており、過流出防止弁(5)の下流側への位置決めとなっている。
なお、プラグ部(2)がいたずら等により不用意にケーシング(11)から外されないように、ケーシング(11)の下流側開放端(19)の雌ネジ部形成位置を貫通するロックネジ(6)を設けている。プラグ部(2)を螺合接続後、ロックネジ(6)を締め付けて、ロックネジ(6)の軸部端面でプラグ部(2)の雄ネジ部が押圧されることにより、プラグ部(2)はケーシング(11)に対して抜け止め状態にロックされる構成となる。
【００１７】
プラグ部(2)内には、弁装置(21)が収容されており、その上流側にはリセット部(14)が直列状態にセットされている。これにより、弁装置(21)、リセット部(14)、及び、過流出防止弁(5)は、下流側（図面では上側）から順に、直線的に直列された状態で収容される態様となっている。
又、ガス流路は、接続ネジ筒部(11a)内から、開弁状態にある過流出防止弁(5)を通って、大径筒部(11c)内、そして、プラグ部(2)の胴部に設けられている弁孔(15)を通ってプラグ部(2)内へと連通する構成となっている。
【００１８】
弁装置(21)は、ソケットの押込み軸(40)によって押込まれる補助部(21a)と、補助部(21a)に一体的に移動可能で且つ上流側へ開放する筒部(211)を有するスライド栓(21b)とからなり、これの上流側に位置するリセット部(14)は、二重筒状に形成されたバネ受け(22)と、バネ受け(22)と筒部(211)の底部との間に介装させたバネ(23)と、プラグ部(2)の上流端に外嵌される可動キャップ(140)とからなり、可動キャップ(140)の上流側面中央にはリセット突起(141)が突設されている。
【００１９】
図１は、ガス栓の閉弁状態を示しており、スライド栓(21b)の筒部(211)が弁孔(17)の下流側に位置しており、筒部(211)の外周がプラグ部(2)の胴部内周に対して気密状態に位置している。
図１の状態のガス栓(1)に、ワンタッチカップリング型式のソケット(4)をプラグ部(2)の先端部に外嵌して基端側に押し込むと、ソケット(4)内に設けられた押込み軸(40)で補助弁(21a)及びスライド栓(21b)が押されて上流側に移動する。スライド栓(21b)が弁孔(15)を通過し、更に、スライド栓(21b)の筒部(211)がプラグ部(2)の胴部内周面に外周気密状態でその奥側へ移動すると、筒部(211)より上流側の圧力が上昇し、該圧力がバネ受け(22)の内筒内を伝わって可動キャップ(140)に作用する。すると、可動キャップ(140)は、図２の点線で示す位置から過流出防止弁(5)のリセット体(55)を押込みながら、実線で示すリセット位置まで移動する。従って、過流出防止弁(5)内の弁体(52)が閉弁状態にあるときは、弁体(52)がリセット体(55)によって開弁されて初期状態に復帰する。
その後、リセット体(55)は、図３に示すバネ(54b)によって下流方向に付勢されているので、可動キャップ(140)とプラグ部(2)の摺動部の微小隙間を通じて可動キャップ(140)の内側の圧力が減少し、可動キャップ(140)は下流側へ押し戻され、リセット体(55)は初期位置に復帰する。リセット体(55)が初期位置に復帰すると過流出防止弁(5)内の弁体(52)はリセット体(55)の影響を受けることがなく閉弁作動し得る状態となる。
【００２０】
この実施の形態のガス栓(1)では、プラグ部(2)、バネ受け(22)、可動キャップ(140)、当接部材(12)、及び過流出防止弁(5)は、ケーシング(11)の下流側開放端(19)から出し入れ自在な大きさ及び形状に設定されている。よって、プラグ部(2)を、弁装置(21)とリセット部(14)と共に、ケーシング(11)から取り外し、当接部材(12)を回転させてネジ部を取り外し、過流出防止弁(5)を工具等で引き出せば、ケーシング(11)の下流側開放端(19)から、全ての部品を取り出すことができる。
【００２１】
過流出防止弁(5)としては、公知のものが採用可能であり、取付前のガス栓(1)では、接続ネジ筒部(11a)側から小径筒部(11b)内へ挿入される。小径筒部(11b)は過流出防止弁(5)の樹脂製のケース体(5)が密に収容可能な大きさの円筒状に形成されていると共に、ケース体(50)の胴部中央から外方へ僅かに弾性的に張り出させたテーパ状の突起(51)が、小径筒部(11b)内に設けた環状凹溝(111)内にワンウェイ係合することにより、過流出防止弁(5)は上流側へ抜け止め状態に収容されることとなる。
【００２２】
過流出防止弁(5)のケース体(50)内には、図３に示すように、ガス圧によって、下流側へ移動する弁体(52)が収容されている。通常時においては、図３の（Ａ）に示すように、弁体(52)は、バネ(54a)によって、弁座(53)から離反された状態に付勢されている。
プラグ部(2)内のガス流路(G2)よりも下流側において、何らかの異常が発生してガスが過流出状態になると、過流出防止弁(5)が作動して、図３の（Ｂ）に示すように、弁体(52)が、バネ(54a)の付勢力に抗して下流側へ押されて移動し、弁座(53)に圧着する。これが、過流出防止弁(5)の閉弁状態である。このとき、弁体(52)と一体の弁軸(52a)が、ケース体(50)の下流側頂面から突出した状態に位置しているリセット体(55)の近傍にまで移動する。
【００２３】
この閉弁状態を解除するには、ケース体(50)の下流側頂面から突出しているリセット体(55)の頂部を内部へ押し込めばよい。リセット体(55)が押し込まれることにより、リセット体(55)によって弁軸(52a)が上流側へ押され、それに伴い、弁体(52)の弁座(53)への圧着が解除される。すると、図３の（Ｃ）に示すように、バネ(54a)によって、弁体(52)は、弁座(53)から離反された元の状態に復帰する。
なお、図１に示すガス栓(1)の過流出防止弁(5)は、図３の（Ａ）の状態（開弁状態）にあり、図２の過流出防止弁(5)は、図３の（Ｃ）の状態（リセット状態）を示している。
【００２４】
次に、図４から図６に基づいて、第２番目の実施の形態のガス栓(1)について説明する。
この実施の形態のガス栓(1)では、プラグ部(2)、弁装置(21)、ケーシング(11)及び過流出防止弁(5)は、上記実施の形態のガス栓で採用したものと同様のものを採用する。
ケーシング(11)からプラグ部(2)に至るガス流路(G1)(G2)は、過流出防止弁(5)が作動したときと、図５に示すように、弁装置(21)によってプラグ部(2)内の流路が遮断されたときに閉塞される。
【００２５】
この実施の形態のリセット部(10)は、弁装置(21)を構成しているスライド栓(21b)の筒部(211)内に内嵌される支持筒部(100)と、その一部分から上流側へ延長し且つその所定位置に係合凸部(101a)を突設させた延長杆(101)と、両端が逆方向に屈曲し且つその一端に延長杆(101)を両側から挟み込んで係合凸部(101a)に係合可能な二股係合片部(102a)が設けられているレバー片(102)と、レバー片(102)を回動自在に支持する支持筒(103)とから構成されている。
支持筒(103)の下流端がプラグ部(2)の上流端に外嵌することにより、プラグ部(2)とリセット部(10)とは一体に組み付けられ、支持筒部(100)の底面とプラグ部(2)の上流側開放端近傍の所定位置に具備させたバネ受け(22)との間に介在させたバネ(23)によって、弁装置(21)はプラグ部(2)を閉塞させる方向へ付勢されている。
【００２６】
過流出防止弁(5)を小径筒部(11b)内に収容後、大径筒部(11c)の環状底部に環状の当接部材(12)を所定の姿勢でセットし、ケーシング(11)の下流側開放端(19)からリセット部(10)及びプラグ部(2)を順に差込んで、プラグ部(2)をケーシング(11)の下流側開放端(19)に螺合接続させれば、当接部材(12)は、支持筒(103)の上流端で環状底部に挟まれ固定される。これにより、過流出防止弁(5)のケース体(50)は下流側への移動も阻止される。
また、小径筒部(11b)の下流側開放端の対向する位置に、過流出防止弁(5)取り出し用の凹部(13)が形成されている。
【００２７】
大径筒部(11c)内のガス流路(G1)と、プラグ部(2)内のガス流路(G2)とは、プラグ部(2)に形成されている切欠部(2a)を介して連通しており、図５に示すように、筒部(211)の外周面(211a)が切欠部(2a)よりも下流側のプラグ部(2)の内周面に位置すると、プラグ部(2)内へのガス流路は遮断される。すなわち、筒部(211)の外周面(211a)が弁体として機能する構成となっている。
【００２８】
過流出防止弁(5)が作動すると、下流側の異常の修復の際に安全面からソケットがプラグ部(2)から外される。すると、バネ(23)の付勢力によって、弁装置(21)はリセット部(10)の支持筒部(100)と共に下流側に移動させられ、プラグ部(2)は、図５に示すように閉塞される。
このとき、支持筒部(100)の下流側への移動に伴って、延長杆(101)も下流側に移動するため、延長杆(101)の係合凸部(101a)に係合している二股係合片部(102a)が下流側へ引き上げられる態様となる。すなわち、レバー片(102)の一端である二股係合片部(102a)が持ち上げられる方向にレバー片(102)が回動するから、それに伴い、他端(102b)は押し下げられて、閉弁状態にある過流出防止弁(5)のリセット体(55)を上流側へ押し込む。すなわち、この実施の形態では、レバー片(102)の他端(102b)が、押込み手段として機能することとなる。
【００２９】
閉弁状態にある過流出防止弁(5)のリセット体(55)が、レバー片(102)の他端(102b)によってケース体(50)内へ押し込まれると、上記したように、弁軸(52a)がリセット体(55)によって押されて上流側に移動させられることによって、弁体(52)の弁座(53)への圧着が解除されると同時に、弁体(52)はバネ(54a)によってケース体(50)の底部(56)方向に付勢される。これにより、過流出防止弁(5)は初期状態にリセットされる（図３の（Ｃ）の状態）。
その後、新たにソケットをプラグ部(2)に接続させると、図４に示すように、ソケット内の押込み軸(40)によって補助部(21a)が押し込まれると同時に、スライド栓(21b)さらには支持筒部(100)及び延長杆(101)が上流側に移動させられることにより、二股係合片部(102a)の、延長杆(101)の係合凸部(101a)への係合が解除される。それに伴い、レバー片(102)は、他端(102b)によるリセット体(55)の押圧を解除する方向に回動することとなるから、リセット体(55)は、バネ(54b)の付勢力によって、図３の（Ａ）のごとく、ケース体(50)から突出する初期状態に復帰させられる。
【００３０】
上記したガス栓(1)を壁内又は床内に設置されているガス配管に接続させて埋設式ガス栓としての接続が完了した後に、ガス栓(1)内の点検や修理等を行う場合には、図６に示すように、プラグ部(2)をケーシング(11)から取り外す。すると、弁装置(21)及び、延長杆(101)付きの支持筒部(100)がプラグ部(2)内にセットされた状態で、ケーシング(11)の下流側開放端(19)から取り出すことができる。
また、リセット部(10)を構成しているレバー片(102)付きの支持筒(103)もレバー片(102)を所定の姿勢に回動させた状態にて、下流側開放端(19)から取り出すことができる。
【００３１】
プラグ部(2)及び支持筒(103)を取り除いた後、当接部材(12)及び過流出防止弁(5)の下流側への移動を阻止するものはない。よって、ケーシング(11)の下流側開放端(19)から工具を挿入し、当接部材(12)及び過流出防止弁(5)を工具で挟んで引き出すことにより、ケーシング(11)の下流側開放端から屋内に取り出すことができる。
このように、プラグ部(2)、弁装置(21)、リセット部(10)、当接部材(12)及び過流出防止弁(5)を、ケーシング(11)の下流側開放端(19)から屋内に取り出すことができるから、各部品の点検や修理又は交換を容易に行うことができる。
そして、ケーシング(11)の下流側開放端から、過流出防止弁(5)を小径筒部(11b)内に突起(51)を縮径させながら挿入し、突起(51)を環状凹溝(111)に係合させて抜け止め状態とした後に、当接部材(12)を所定位置にセットし、その後に、支持筒(103)及びプラグ部(2)を順に挿入させて、プラグ部(2)をケーシング(11)に螺合接続させればガス栓(1)の組み付けが完了する。
【００３２】
次に、図７及び図８に基づいて、第３番目の実施の形態のガス栓(1)について説明する。
この実施の形態のガス栓(1)では、プラグ部(2)、弁装置(21)、ケーシング(11)及び過流出防止弁(5)は、上記実施の形態のガス栓で採用したものと同様のものを採用する。
【００３３】
第３番目の実施の形態のリセット部(20)は、過流出防止弁(5)のリセット体(55)を押し込む押込み手段としての押圧部材(201)と、プラグ部(2)の上流端に連結される筒部材(202)と、筒部材(202)の側壁に貫通せた軸に軸支させた一対の揺動レバー(203)と、下流側の端部が揺動レバー(203)の下流側で且つ各々の軸支部よりも内側に設置される中間軸(204)と、揺動レバー(203)と弁装置(21)のスライド栓(21b)の筒部(211)の底面との間に介在させるバネ(205)とから構成されており、バネ(205)の直径は揺動レバー(203)相互の各軸支部よりも大径となっている。また、筒部材(202)の上流端部には搖動レバー(203)の外側側面を囲うように溝部(202a)が形成されている。さらに、プラグ部(2)及びリセット部(20)は、ケーシング(11)の下流側開放端(19)から出し入れ自在な大きさ及び形状に設定されている。
【００３４】
押圧部材(201)は、周囲が下流側に突出する円形皿状体であり、その外周直径方向に断面L字状の一対の凸片(201a)を有し、凸片(201a)は筒部材(202)の上流端部に形成された溝部(202a)内に位置するとともに搖動レバーの外側の上流端面に当接している。底面中央には上流側に突出する凸部(201b)が過流出防止弁(5)のリセット体(55)に当接又は接続される態様で設置されている。
【００３５】
なお、過流出防止弁(5)の下流端には当接部材(12)がケーシングの下流側からねじ込まれて取り付けられており、過流出防止弁(5)の下流側への位置決め手段となっている。
【００３６】
また、中間軸(204)の長さは、図７に示すように、プラグ筒(2)にソケットが接続された使用状態において、弁装置(21)の補助部(21a)が、ソケットの押込み軸(40)によって、スライド栓(21b)と共に上流側に押し込まれたとき、スライド栓(21b)の筒部(211)の底面と揺動レバー(203)の各軸支部よりも内側部分との間にちょうど介在される長さに設定されている。
【００３７】
弁装置(21)が押し込まれた状態では、揺動レバー(203)の軸支部よりも内側は中間軸(204)によって上流方向へ押されることとなるから、揺動レバー(203)は軸支部を中心に回動し、図７に示すように、押圧部材(201)の下流側にて前記軸支部よりも外側が少し持ち上げられた状態に維持される。
【００３８】
過流出防止弁(5)の作動した際に、ソケットをプラグ部(2)から外すと、図８に示すように、バネ(205)の付勢力によって、弁装置(21)は下流側に移動させられるから、中間軸(204)は筒部(211)による上流側への押圧力から開放され自由状態となる。これにより、揺動レバー(203)の軸支部よりも内側にかかっていた押圧力は除去されるから、揺動レバー(203)は、軸支部よりも外側にかかるバネ(205)の付勢力によって回動させられ、揺動レバー(203)の外側端(203a)で環状凸部(201a)の外周に設けた凸片(201a)が上流側に押されることとなる。
これにより、押圧部材(201)自体が上流側に移動し、過流出防止弁(5)のリセット体(55)が凸部(201b)で押し込まれることにより、過流出防止弁(5)内の弁体が弁座から離反させられ、もとの初期状態に復帰することとなる。
【００３９】
この実施の形態のガス栓(1)では、プラグ部(2)をケーシング(11)から取り外せば、弁装置(21)とリセット部(20)を同時にケーシング(11)から取り出すことができ、さらに、当接部材(12)を回転させてネジ部を外せば、過流出防止弁(5)も屋内に取り出すことができる。
【００４０】
次に、図９及び図１０に基づいて、第４番目の実施の形態のガス栓(1)について説明する。
この実施の形態のガス栓(1)においても、プラグ部(2)、弁装置(21)、ケーシング(11)、当接部材(12)及び過流出防止弁(5)は、上記各実施の形態のガス栓(1)で採用したものと同様のものを採用している。
【００４１】
この実施の形態のリセット部(24)は、プラグ部(2)の上流端に連結される断面Ｃ字状の筒体(241)と、筒体(241)に架設させた平行な２本の貫通軸に各々回動自在に軸支されている一対の略く字状の揺動片(240)と、上流側に開放する筒部(242a)とその頂面中央から弁装置(21)に向かって突設する軸部(242b)を有する移動部材(242)と、両揺動片(240)の向かい合う内側端部と筒部(242a)の底部との間に介在されるバネ(243)とからなり、これら全ての部材は、ケーシング(11)の下流側開放端から出し入れ自在な大きさに設定されている。
【００４２】
図９に示すように、ソケットをプラグ部(2)に接続させると、その押込み軸(40)によって弁装置(21)が上流側へ移動し、弁装置(21)のスライド栓(21b)で、移動部材(242)の軸部(242b)が押される。これにより、移動部材(242)が上流側へ移動させられ、筒部(242a)の開放端が揺動片(240)の外側端部を上流側に押圧する。揺動片(240)は下流側に開放する略く字状に屈曲された形状を呈していると共に、その屈曲部よりも内側寄りにて軸支されているため、外側端部が上流側へ押されると揺動片(240)が回動し、内側端部はバネ(243)の付勢力に抗して下流側へ移動した状態で保持される。
【００４３】
過流出防止弁(5)が作動した際に、ソケットがプラグ部(2)から外されると、図１０に示すように、弁装置(21)はバネ(23)の付勢力によって下流側に移動することにより、移動部材(242)は、弁装置(21)による押圧力から開放される。すると、バネ(243)の付勢力によって、移動部材(242)の筒部(242a)が下流側へ移動させられると同時に、揺動片(240)の内側端部が上流側へ移動する方向に揺動片(240)が回動させられる。
過流出防止弁(5)のリセット体(55)は揺動片(240)の内側端部でケース体(50)内へ押し込まれることにより、過流出防止弁(5)内の弁体を弁座から離反させ、閉弁状態にある過流出防止弁(5)を初期状態に復帰させることができる。この実施の形態では、揺動片(240)の内側端部が押込み手段として機能することとなる。
【００４４】
この実施の形態のガス栓(1)も、プラグ部(2)を取り外したケーシング(11)の下流側開放端から、弁装置(21)、リセット部(24)、当接部材(12)及び過流出防止弁(5)の全ての部材を容易に引き出すことができ、各部品の点検や修理や交換を行うことができる。
【００４５】
図１１から図１３に示すものは、第５番目の実施の形態のガス栓(1)であり、この実施の形態のガス栓(1)においても、プラグ部(2)、弁装置(21)、ケーシング(11)及び過流出防止弁(5)は、上記各実施の形態のガス栓(1)で採用したものとほぼ同様のものを採用可能であるが、この実施の形態では、過流出防止弁(5)は、リセット部(25)を構成する移動部材(26)に備えられた筒体(26a)内に収容された状態でケーシング(11)の小径筒部(11b)内に収容されている。
【００４６】
プラグ部(2)の上流端近傍には溝部(17)が形成されており、これに、図１３に示すような形状の固定部材(27)の差込片(27a)が嵌め込まれて固定される。
固定部材(27)は、図１３に示すように、図面において上方に開放する略コ字状体の両上端から前述の差込片(27a)が外方へ突出すると共に、略コ字状体の中心部から下方へ軸部(27b)が突設する形状を呈しており、両差込片(27a)がプラグ部(2)の溝部(17)の対向する位置に各々嵌め込まれることにより、固定部材(27)はプラグ部(2)内にて固定される。
【００４７】
前述の筒体(26a)の下流側端部には、下流側に凸の板状の係合凸部(26b)が架設されており、係合凸部(26b)の上流側から前述の固定部材(27)が十字に交わるようにセットされると共に、係合凸部(26b)の上方に突設されているバネ受け部(26c)と、弁装置(21)のスライド栓(21b)の底部に設けたバネ係止部(29)との間に、バネ(28)を介在させた状態にて、固定部材(27)の両差込片(27a)をプラグ部(2)の溝部(17)に差し込んで固定部材(27)をプラグ部(2)内にて固定し、 プラグ部(2)をケーシング(11)に接続させる。
【００４８】
なお、筒体(26a)はケーシング(11)の小径筒部(11b)に、係合凸部(26b)は、小径筒部(11b)よりも大径の中間筒部(11d)内に収容され、中間筒部(11d)よりも下流側が、プラグ部(2)が差し込まれる大径筒部(11c)となっている。
この実施の形態では、プラグ部(2)内に収容されている弁装置(21)とリセット部(25)の間にはバネ(28)が介在されており、リセット部(25)を構成している移動部材(26)の筒体(26a)に過流出防止弁(5)が収容されていることから、弁装置(21)とリセット部(25)と過流出防止弁(5)とは一体に設けられ、プラグ部(2)はケーシング(11)の大径筒部(11c)の下流側開放端(19)から出し入れ自在となっている。
【００４９】
図１１に示す使用状態においては、ソケットの押込み軸(40)によってプラグ部(2)弁装置(21)が上流側へ押されることにより、バネ(28)を介して移動部材(26)が上流側に押されるが、移動部材(26)の係合凸部(26b)の上流側端部が、中間筒部(11d)の底部に当接することにより、それ以上の移動は阻止される。この状態にて、固定部材(27)は、過流出防止弁(5)のリセット体(55)よりも下流側に位置するように設定されている。
【００５０】
過流出防止弁(5)の作動した際に、ソケットがプラグ部(2)から外されると、図１２に示すように、バネ(23)の付勢力によって、弁装置(21)は下流側に移動させられ、これに伴って、移動部材(26)が筒体(26a)の下端と小径筒部(11b)の底面に介装したバネ(18)によって下流側へ押される。
移動部材(26)が下流側に移動させられると、筒体(26a)内の過流出防止弁(5)も同時に移動する。このとき、固定部材(27)はプラグ部(2)の溝部(17)に差込片(27a)が差し込まれたまま移動しないから、過流出防止弁(5)のリセット体(55)が固定部材(27)の軸部(27b)の端面に当接し、リセット体(55)が軸部(27b)によって押されてケース体(50)内へ押し込まれる。これにより、過流出防止弁(5)は初期状態に復帰することとなる。
この実施の形態のものでは、固定部材(27)がリセット体(55)の押込み手段として機能すると同時に、下流側への位置決め手段としても機能する。
【００５１】
この実施の形態のガス栓(1)では、プラグ部(2)を取り外すことにより、ケーシング(11)の下流側開放端(19)から、弁装置(21)と、弁装置(21)に連結されているリセット部(25)と、リセット部(25)を構成する移動部材(26)の筒体(26a)内に収容された過流出防止弁(5)とが、一度に容易に引き出すことができるので、各部品の点検や修理や交換の作業性が一層向上する。
なお、過流出防止弁(5)は、上流側開口部からも、専用工具を用いて取り外すことができるので、製造段階で過流出防止弁(5)を取り替えるような場合には、組み立て完成状態で過流出防止弁(5)のみを取り外し、新しい過流出防止弁(5)と取り替えることができる。
【符号の説明】
【００５２】
(1) ・・・・・・・・・・・・ガス栓
(10)(14)(20)(24)(25)・・・・リセット部
(11)・・・・・・・・・・・・ケーシング
(11a) ・・・・・・・・・・・接続ネジ筒部
(12)・・・・・・・・・・・・当接部材（位置決め手段）
(19)・・・・・・・・・・・・下流側開放端
(2) ・・・・・・・・・・・・プラグ部
(21)・・・・・・・・・・・・弁装置
(21a) ・・・・・・・・・・・補助弁
(21b) ・・・・・・・・・・・弁装置
(G1)(G2)・・・・・・・・・・ガス流路
(5) ・・・・・・・・・・・・過流出防止弁
【図１】
2014126094.tif 000003
【図２】
2014126094.tif 000004
【図３】
2014126094.tif 000005
【図４】
2014126094.tif 000006
【図５】
2014126094.tif 000007
【図６】
2014126094.tif 000008
【図７】
2014126094.tif 000009
【図８】
2014126094.tif 000010
【図９】
2014126094.tif 000011
【図１０】
2014126094.tif 000012
【図１１】
2014126094.tif 000013
【図１２】
2014126094.tif 000014
【図１３】
2014126094.tif 000015
【図１４】
2014126094.tif 000016